(57)【要約】【課題】消火水の散布領域を拡大するとともに、各領域の散水量のバラツキが少ない側壁型スプリンクラーヘッドを提供する。【解決手段】デフレクター３０の外周に、翼部５０〜５５と散水用スリット６０〜６５を交互に隣り合うように放射状に設ける。上側の翼部５０を横長の逆台形状に形成し、左右一対からなる水平翼部５１，５２と傾斜翼部５３，５４の先端に放射方向に開口する散水用溝６６，６７をそれぞれ形成する。下側の翼部５５を下方に向かって延在する矩形に形成する。水平翼部５１，５２と傾斜翼部５３，５４との間の散水用スリット６２，６３を開口部に向かって拡幅する台形状の溝とし、下側翼部５５と傾斜翼部５３，５４との間の散水用スリット６４，６５を開口部に向かって拡幅する三角形の溝とする。【選択図】  図２
2006191961.tif 000002
【特許請求の範囲】
【請求項１】
略垂直な板状のデフレクターと、このデフレクターの上部に略水平に設けられた補助デフレクターとを備え、壁面に水平に取付けられる側壁型スプリンクラーヘッドにおいて、
前記デフレクターの外周に交互に隣り合う複数個の翼部と散水用スリットを放射状に設けてなり、上側に設けられる上側翼部を略逆台形に形成したことを特徴とする側壁型スプリンクラーヘッド。
【請求項２】
前記デフレクターは左右一対の水平翼部と斜め下方に傾斜した左右一対の傾斜翼部とを備え、これらの翼部の先端に放射方向に開口する散水用溝をそれぞれ形成したことを特徴とする請求項１記載の側壁型スプリンクラーヘッド。
【請求項３】
前記散水用溝を前記散水用スリットより長さが短い略矩形の溝で構成したことを特徴とする請求項２記載の側壁型スプリンクラーヘッド。
【請求項４】
前記水平翼部と前記傾斜翼部との間の散水用スリットを開口部に向かって拡幅する略台形の溝で構成したことを特徴とする請求項２，３のうちのいずれか１つに記載の側壁型スプリンクラーヘッド。
【請求項５】
前記デフレクターは下側に下方に向かって延在する矩形の下側翼部を備え、この下側翼部と前記傾斜翼部との間の散水用スリットを開口部に向かって拡幅する三角形の溝で構成したことを特徴とする請求項２，３，４のうちのいずれか１つに記載の側壁型スプリンクラーヘッド。
【請求項６】
前記傾斜翼部と前記下側翼部をデフレクターの後方に傾斜させたことを特徴とする請求項５記載の側壁型スプリンクラーヘッド。
【発明の詳細な説明】
【技術分野】
【０００１】
本発明は、室内の壁面に設置される消火用スプリンクラーヘッドに関するものである。
【背景技術】
【０００２】
火災発生時に水を散水して消火を行うスプリンクラーヘッドとしては、大別すると室内の天井面から下向きに垂直に設置されるタイプと、配管に垂直上向きに設置されるタイプと、壁面に水平に設置されるタイプの３種類がある。
【０００３】
３種類のスプリンクラーヘッドのうち、特に壁面に水平に設置されるタイプのスプリンクラーヘッド（以下、側壁型スプリンクラーヘッドという）は、一般に感熱分解部と、略垂直なデフレクターと、このデフレクターの上部に略水平に設置された補助デフレクターとを備え、火災が発生したときの熱で前記感熱分解部を分解、脱落させて放水口を開き、放水口から噴射した消火水を前記デフレクターと補助デフレクターに衝突させて四方に飛散させることにより消火するものである（例えば、特許文献１〜３参照）。このような側壁型スプリンクラーヘッドの散水性能、すなわち消火水の散水範囲、散布形状、散水量の分布等は、デフレクターと補助デフレクターの形状、大きさと放水圧力によって決定される。
【０００４】
このため、特許文献１に記載された側壁型スプリンクラーヘッドは、デフレクターの上部を導水方向に傾斜させることにより、水平遠方方向（前方）の散水域を拡大するとともに水平遠方方向に均一に消火水を散水できるようにしている。
【０００５】
特許文献２に記載された側壁型スプリンクラーヘッドは、デフレクターを進退自在に保持するガイドリングを備え、このガイドリングのアームをフレーム内部に形成した溝によって摺動自在に保持し、消火水の散水時にガイドリングとデフレクターとをフレーム内部から突出させるようにしたスプリンクラーヘッドにおいて、前記ガイドリングのアームの先端部分を中間部よりも太くして段差を形成することにより、アーム先端部分に衝突する消火水を四方に拡散して壁面側のコーナー部分の散水量を増大させるようにしている。
【０００６】
特許文献３に記載された側壁型スプリンクラーヘッドは、補助デフレクターの水平部の中間部を水平または水平より下方に僅かに傾斜させ、両隅部を中間部分より上方へ傾斜させることにより、散布範囲と遠方隅部の散水量を増大させるようにしている。
【０００７】
この他、図１１および図１２に示すような側壁型スプリンクラーヘッド１も知られている。この側壁型スプリンクラーヘッド１は米国で使用されているもので、デフレクター２と補助デフレクター３とを金属板にプレス加工を施すことによって一体に形成している。また、デフレクター２は、略円板状で外周に放射状に突設された細い９本の突起（翼）４と、左右一対の水平なアーム部５，５とを備え、これらのアーム５，５を介してデフレクター２と補助デフレクター３を連結している。補助デフレクター３は、前端３ａがデフレクター２の上方でかつ前方に位置し、後端３ｂがデフレクター２の後方に位置し、前端３ａが後端３ｂよりも高くなるように水平面に対して僅かに傾斜して設けられている。アーム５は、上端が補助デフレクター３の後端３ｂに連結され、下端がデフレクター２の側面に連結されている。
【０００８】
【特許文献１】特開２００１−３４０４８７号公報
【特許文献２】特開２００３−２３６０１１号公報
【特許文献３】特開２００３−１８０８６２号公報
【発明の開示】
【発明が解決しようとする課題】
【０００９】
小区画用の側壁型スプリンクラーヘッドの場合、基準の特例については省令（昭和４０年自治省令第２号）第１６条の規定によって放水圧力が０．１ＭＰａ以上で防護面積（散布領域）が約１２．９６ｍ2 （図１３の実線Ａで示す３．６×３．６ｍの略四角形の領域）以上であること、および散布領域Ａの全域にわたって平均の採水量が毎分０．２５リットル以上で、かつ各採水升の採水量が毎分０．０２５リットル以上であることが定められている。このため、従来の側壁型スプリンクラーヘッドは、いずれも上記した規定値を満たすように設計されている。
【００１０】
しかしながら、最近では設置コストの低減、広い間取りへの設置等から、従来よりも広い領域にわたって散布可能な側壁型スプリンクラーヘッドの開発が要望されているが、このような要望に対しては未だ十分に対応できないという問題があった。その主たる理由は、デフレクターの形状、特にその翼とスリットの形状、大きさ、幅、数、角度等によって散布範囲や散水量の分布状態が微妙に変化するため、広い領域にわたって散布可能なデフレクターの設計が難しいためである。
【００１１】
一方、図１１および図１２に示した米国製の側壁型スプリンクラーヘッド１は、散布領域が図１３の実線Ｂで示す４．５×３．５ｍの矩形領域（約１５．７５ｍ2 ）であるため、水平遠方方向への散水については前記省令に定められている規定値を十分に越えてはいるが、各領域における散水量のバラツキが大きく、規定値以下の領域も含まれるため、前記省令に適合しないという問題があった。
【００１２】
そこで、本発明者は、図１１および図１２に示した従来の側壁型スプリンクラーヘッド１におけるデフレクター２を基本形状として、その翼とスリットの形状、大きさ、幅、数、角度等が異なる多数のデフレクターを製作して散水分布試験を行い、各デフレクター毎の散布領域と散水量の分布を測定した。デフレクターの設計製作にあたっては、特に横方向（壁面と平行な方向）の領域拡大を主眼とした。その結果、デフレクターの上側に上辺と下辺が互いに平行で、かつ上辺が下辺よりも長い四辺形、つまり逆台形の翼部を設けると、真横方向、特に壁面側の隅部の散布領域を拡大することができることを見出した。
【００１３】
また、一部の翼の先端に散水用の溝を形成しておくと、横方向の散布領域を水平遠方方向の全長にわたって拡大することができるとともに、横方向に対しても消火水を均一に散布することができ、散水量のバラツキを少なくすることができることを見出した。
【００１４】
また、放水圧力（０．１５ＭＰａ、０．４Ｍｐａ、０．７ＭＰａ）を変えて散水分布実験を行なった場合、いずれの放水圧力においても全体として散布領域を２０．２５ｍ2 （４．５×４．５ｍ）以上に拡大することができた。これは１２畳の部屋でも１個のスプリンクラーヘッドで部屋全体に消火水を散布することができる広さである。
【００１５】
本発明は上記した従来の問題および実験結果に基づいてなされたものであり、その目的とするところは、消火水の散布領域を拡大するとともに、各領域の散水量のバラツキを小さくすることができる側壁型スプリンクラーヘッドを提供することにある。
【課題を解決するための手段】
【００１６】
上記目的を達成するために、本発明は、略垂直な板状のデフレクターと、このデフレクターの上部に略水平に設けられた補助デフレクターとを備え、壁面に水平に取付けられる側壁型スプリンクラーヘッドにおいて、前記デフレクターの外周に交互に隣り合う複数個の翼部と散水用スリットを放射状に設けてなり、上側に設けられる上側翼部を略逆台形に形成したものである。
【００１７】
また、本発明は、前記デフレクターが左右一対の水平翼部と斜め下方に傾斜した左右一対の傾斜翼部とを備え、これらの翼部の先端に放射方向に開口する散水用溝をそれぞれ形成したものである。
【００１８】
また、本発明は、前記散水用溝を前記散水用スリットより長さが短い略矩形の溝で構成したものである。
【００１９】
また、本発明は、前記水平翼部と前記傾斜翼部との間の散水用スリットを開口部に向かって拡幅する略台形の溝で構成したものである。
【００２０】
また、本発明は、前記デフレクターが下側に下方に向かって延在する矩形の下側翼部を備え、この下側翼部と前記傾斜翼部との間の散水用スリットを開口部に向かって拡幅する三角形の溝で構成したものである。
【００２１】
さらに、本発明は、前記傾斜翼部と前記下側翼部をデフレクターの後方に傾斜させたものである。
【発明の効果】
【００２２】
本発明において、スプリンクラーヘッドから噴射する水はデフレクターの上側に設けた略逆台形の上側翼部に略垂直に衝突することにより四方に飛散する。特に、上側翼部の裏面に沿って左右方向に飛散する消火水は、スプリンクラーヘッドを取付けた壁面側の隅部への散布領域および散水量を拡大する。
【００２３】
補助デフレクターは消火水が衝突すると、水平方向に屈折させる。これにより、水平遠方方向の飛距離および散水量を増大させる。
【００２４】
デフレクターの水平翼部と斜め下方に傾斜した傾斜翼部は、消火水を四方に飛散させ、横方向および下方への散布領域および散水量を拡大する。特に、水平翼部と傾斜翼部に設けられている散水用溝は、消火水をさらに細かく四方に飛散し、散水量を平均化させる。
【００２５】
水平翼部と傾斜翼部との間に設けた略台形の溝からなる散水用スリットは、消火水を斜め横方向に飛散し、横方向への散水量を増大させる。
【００２６】
下側翼部と、この下側翼部に隣接する三角形の散水用スリットは、消火水を下方に飛散し、壁面近くの散水量を増大させる。
【００２７】
また、傾斜翼部と下側翼部はデフレクターの後方側に所要角度傾斜しているので、消火水をデフレクターが取付けられている壁面側に屈折させ、該壁面への散水量を確保する。
【発明を実施するための最良の形態】
【００２８】
以下、本発明を図面に示す実施の形態に基づいて詳細に説明する。
図１は本発明に係る側壁型スプリンクラーヘッドの一実施の形態を示す壁面に取付けた状態の側断面図、図２は同スプリンクラーヘッドの外観斜視図、図３は同スプリンクラーヘッドの正面図、図４は同スプリンクラーヘッドの平面図、図５は図３のＡ−Ａ線断面図、図６は同スプリンクラーヘッドの底面図、図７は消火水の散布領域を示す図である。
【００２９】
図１において、２０は室内、２１は室内２０の壁面、２２は室内２０の天井面、２３は壁面２１に埋め込み設置された側壁型スプリンクラーヘッド（以下、スプリンクラーヘッドと略称する）、２４は先端に前記スプリンクラーヘッド２３が取付けられた消火用配管である。
【００３０】
図２〜図６において、前記スプリンクラーヘッド２３は、放水口２６（図５参照）を有する本体２５と、この本体２５の前面に一体に突設された左右一対のアーム２７，２７と、これらのアーム２７，２７の連結部２８と前記本体２５との間に設けられ通常前記放水口２６を閉塞する機能をもつ感熱分解部２９と、前記連結部２８に略垂直に設けられた板状のデフレクター３０と、このデフレクター３０の上側に略水平に設けられた補助デフレクター３１等で構成されている。
【００３１】
前記本体２５は、両端が開放する略筒状体に形成されており、前端部外周面に２つの平坦部３２ａ，３２ａを有するフランジ３２が一体に突設され、このフランジ３２より後方側の外周面には前記消火用配管２４のテーパ雌ねじ３３に螺合する配管接続用のテーパ雄ねじ３４が形成されている。本体２５の内側に形成された前記放水口２６は、前半部がノズルを構成するストレートな穴に形成され、後半部が前方に向かって小径化するテーパ穴に形成されている。また、放水口２６の内周面前端寄りには、段差３６が形成されており、この段差部３６には後述するばね座金３７が嵌着されている。
【００３２】
前記一対のアーム２７，２７は、前端部分（図５右側）が細くなって互いに内側に湾曲し前記連結部２８において一体に連結されることにより、平面視形状が略馬蹄形を呈している。一対のアーム２７，２７の連結部２８は、前後に開放する筒状体に形成され、その中心孔にインプレスねじ４０が螺合する雌ねじが形成されている。
【００３３】
前記感熱分解部２９は、前記ばね座金３７、弁体４１およびグラスバルブ４２の３部品で構成されている。ばね座金３７は、表面全体にフッ素樹脂がコーティングされており、前記弁体４１を保持する機能と、前記放水口２６を閉塞するとともにシールする機能を有している。前記弁体４１は、前記ばね座金３７を貫通する小径円柱状の本体４１Ａと、この本体４１Ａの前面に一体に突設された大径の円盤部４１Ｂとで構成されている。本体４１Ａの後端面４３は、後方に向かって傾斜する斜面に形成されている。この斜面からなる後端面４３は、火災発生によりスプリンクラーヘッド２３が作動したとき、消火用配管２４内の水（以下、消火水ともいう）４４の水圧を受けることにより、弁体４１を下方に速やかに落下させ、放水を開始させるために設けられるものである。つまり、スプリンクラーヘッド２３として最も重要な作動の確実性、信頼性を向上させるためのものである。円盤部４１Ｂの前面には円錐形の凹部４５が形成されており、またその底面中央には前記グラスバルブ４２の後端を収納、支持する不貫通穴４６が形成されている。
【００３４】
前記グラスバルブ４２は、ガラス管の内部に液体と気泡を封入したものであって、ガラス管の前端が前記インプレスねじ４０によって後方に押圧されることにより、後端が前記円盤部４１Ｂの凹部４５に押し付けられている。このため、弁体４１は、グラスバルブ４２による押圧力によってばね座金３７を前記放水口２６の段差部３６に押し付けており、これによってばね座金３７と弁体４１との隙間、ばね座金３７と段差部３６との隙間をシールし水漏れを防止している。グラスバルブ４２による弁体４１の押圧力は、インプレスねじ４０の連結部２８へのねじ込み量を変えることにより調整される。押圧力の調整に際しては、グラスバルブ４２が破損しない範囲内で良好なシール性能が得られるように調整することが好ましい。
【００３５】
前記デフレクター３０は、黄銅等の金属板を打ち抜き加工することによって形成され、前記一対のフレーム２７，２７の連結部２８の前面に、本体２５の軸線に対して略垂直になるように中央部がかしめ付けられている。また、デフレクター３０は、左右対称な形状に形成されており、周囲にはそれぞれ６個の翼部５０〜５５と散水用スリット６０〜６５が交互に隣り合うように放射状に設けられている。
【００３６】
さらに、デフレクター３０の翼部５０〜５５と散水用スリット６０〜６５について詳述すると、翼部５０はデフレクター３０の上側に一体に設けられ（以下、上側翼部という）、翼部５１，５２はデフレクター３０の両側にそれぞれ水平に一体に設けられ（以下、水平翼部という）、翼部５３，５４は水平翼部５１，５２の下方にそれぞれ斜め下方に傾斜させて一体に設けられ（以下、傾斜翼部という）、残りの１翼部５５はデフレクタ３０の下側に一体に設けられている（以下、下側翼部という）。
【００３７】
上側翼部５０は、横方向に長い左右対称な逆台形に形成されている。上側翼部５０の上辺長さは１６ｍｍ程度、下辺長さは１０ｍｍ程度、水平翼部５１，５２の上辺から上側翼部５０の上辺までの高さは５．５ｍｍ程度、左右の斜辺の水平面に対する傾斜角度δ（図３参照）は４５°程度である。
【００３８】
左右一対の水平翼部５１，５２は、上側翼部５０と周方向に９０°離間して設けられることにより前記インプレスねじ４０の両側にそれぞれ位置している。水平翼部５１，５２の長さは１２ｍｍ、幅は５．８ｍｍ程度である。
【００３９】
左右一対の傾斜翼部５３，５４は、各水平翼部５１，５２の下方に周方向に４５°離間して設けられている。傾斜翼部５３，５４の垂直線に対する傾斜角度α（図３参照）は５０°程度である。また、傾斜翼部５３，５４は、先端に向かって幅が広くなるように台形に形成されている。
【００４０】
下側翼部５５は、デフレクター３０の下方に向かって延在する矩形に形成されている。下側翼部５５の幅は６ｍｍ程度である。
【００４１】
また、各水平翼部５１，５２と傾斜翼部５３，５４の先端には、これらの翼部の放射方向（長手方向）に開放する散水用溝６６，６７がそれぞれ形成されている。散水用溝６６は、長さが４ｍｍ、溝幅が２ｍｍ程度の矩形の溝である。散水用溝６７は、同じく長さが４ｍｍ、溝幅が２．５ｍｍ程度の矩形の溝である。
【００４２】
さらに、一対の傾斜翼部５３，５４と下側翼部５５は、デフレクター３０の後方（壁面２１側）に所要角度傾斜している。傾斜翼部５３，５４と下側翼部５５の垂直面に対する傾斜角度β（図５参照）は２０°程度である。
【００４３】
６つの散水用スリット６０〜６５のうち、前記上側翼部５０と水平翼部５１，５２との間にそれぞれ形成されている左右一対の散水用スリット６０，６１は、斜め上方に向かって開放する台形のスリットをそれぞれ形成している。水平翼部５１，５２と傾斜翼部５３，５４との間にそれぞれ形成されている左右一対の散水用スリット６２，６３は、開口部に向かって拡幅する細長い台形に形成されており、前記散水用溝６６，６７より十分に長い長さ（９ｍｍ程度）を有している。散水用スリット６２，６３の上下に対向する上側と下側の溝壁のうち上側溝壁は略水平で、下側溝壁は下方に所要角度傾斜している。この下側溝壁の水平面に対する傾斜角度θ（図３参照）は１５〜１７°程度である。各傾斜翼部５３，５４と下側翼部５５との間にそれぞれ形成されている左右一対の散水用スリット６４，６５は、開口部に向かって拡幅する三角形の溝で形成されている。なお、前記散水用スリット６０〜６５および散水用溝６６，６７のコーナー部と開口部は、直線どうしの交差部分を形成しており、丸みを付けないことが好ましい。これは、消火水４４を四方に均一に拡散させるうえで有効である。
【００４４】
前記補助デフレクター３１は、前記デフレクター３０と一体に形成されてデフレクター３０の上方を覆っており、左右一対の連結片７０，７０を介して各前記水平翼部５１，５２に連結されている。また、補助デフレクター３１は、デフレクター３０の最大幅と略等しい幅を有する横長矩形の平板状に形成されており、前端がデフレクター３０の上方前方に位置し、後端がデフレクター３０の上方後方に位置し、前端側が後端側より上方に位置するように水平面に対して小角度傾斜している。補助デフレクター３１の水平面に対する傾斜角度γ（図５参照）は、１〜５°程度が好ましい。前記一対の連結片７０，７０は、それぞれ前下がりに傾斜して後端がデフレクター３１の後端両側部にそれぞれ連結され、前端が前記各水平翼部５１，５２の上面先端部にそれぞれ連結されている。また、各連結片７０の後端側は、後方に向かって凸となるように側面視半円弧状に湾曲している。
【００４５】
このようなスプリンクラーヘッド２３は、図１に示すようにシーリングプレート７１内に組み込まれ、このシーリングプレート７１を壁面２１の上部に形成した取付孔７２に嵌め込み、本体２５を壁内の消火用配管２４に接続することにより壁面２１に埋め込み設置される。壁面２１からのデフレクター３０と補助デフレクター３１の突出寸法は、シーリングプレート７１の前後移動によって調整可能（例えば、調整範囲：９．５ｍｍ）である。スプリンクラーヘッド２３の取付け高さは、天井面２２から補助デフレクター３１までの距離ｄが１５ｃｍ以内となる高さである。
【００４６】
次に、スプリンクラーヘッド２３の火災発生時の作動について説明する。
火災が発生すると、その熱によりグラスバルブ４２内の液体が膨張してグラスバルブ４２のガラス管を破壊する。このため、グラスバルブ４２は、インプレスねじ４０と弁体４１との間から脱落して弁体４１の押圧状態を解除する。弁体４１はグラスバルブ４２による押圧状態から解放されて支持を失うと、消火用配管２４より本体２５内に供給されている消火水４４の水圧によって放水口２６から飛び出して落下し、放水口２６を開放する。これにより、消火用配管２４内の消火水４４は放水口２６から一定の広がり角度をもってデフレクター３０に向かって立体角状に噴射し、その大部分がデフレクター３０に衝突して四方に飛散し、一部が散水用スリット６０〜６５および散水用溝６６，６７を通過し、さらに一部が補助デフレクター３１に当たって屈折することで、室２０内の床面上および壁面２１にある広がりをもって散布される。
【００４７】
このとき、デフレクタ３０の上側翼部５０は、消火水４４が略垂直に衝突するとその流れを真横方向に変え、横方向の散布領域、特に壁側隅部Ｐの散布領域Ｘ（図７参照）を拡大するとともに、同散布領域Ｘへの散水量を増加させる。なお、上側翼部５０としては、左右方向に長い形状にしておくと横方向への散布領域および散水量を一層拡大することができる。
【００４８】
また、デフレクター３０の水平翼部５１，５２と、傾斜翼部５３，５４および散水用スリット６２，６３は、消火水４４の流れを横方向や下方に変え、横方向と下方の散布領域を拡大するとともに、これら領域への散水量を増加させる。特に、水平翼部５１，５２と傾斜翼部５３，５４の先端に設けられている散水用溝６６，６７は、消火水４４を四方に細かく拡散することで、横方向と下方への散水量を平均化させる。同様に、デフレクター３０の傾斜翼部５３，５４と、下側翼部５５と、散水用スリット６４，６５および散水用溝６７は、スプリンクラーヘッド２３の真下領域とその周辺領域への散水量を増加させる。
【００４９】
また、傾斜翼部５３，５４と下側翼部５５はデフレクター３０の後方側に所要角度傾斜させているので、壁面２１への散水量を増大させる。
【００５０】
さらに、補助デフレクター３１は、消火水４４の流れを水平方向に変え、遠方方向の散布領域Ｚ（図７参照）を拡大するとともに、同領域への散水量を増加させる。
【００５１】
この場合、本発明においては、補助デフレクター３１を上方に角度γだけ傾斜させているので、水平にした場合に比べて消火水４４の遠方への飛距離が伸びて遠方方向の散布領域Ｚを一層拡大するとともに、同散布領域Ｚへの散水量を増加させることができる。
【００５２】
図７において、領域Ｃ，Ｄ，Ｅは、それぞれ放水圧力を０．１５ＭＰａ、０．４ＭＰａ、０．７ＭＰａとしたときのスプリンクラーヘッド２３による消火水４４の散布領域である。この図からも明らかなように、本発明に係るスプリンクラーヘッド２３によれば、いずれの放水圧力においても、各散布領域Ｃ，Ｄ，Ｅの面積を２０．２５ｍ2 （４．５×４．５ｍ）以上に拡大することができ、図１３に示した従来のスプリンクラーヘッドの散布領域Ａ，Ｂに比べて特に横方向の散布領域Ｙを大幅に拡大することができた。これは、デフレクター３０に設けた水平翼部５１，５２、傾斜翼部５３，５４および散水用スリット６２，６３による効果であると推測される。
【００５３】
また、横方向の散布領域Ｙのうち特に壁面側隅部Ｐにおける散布領域Ｘは、壁面２１に沿って横方向に広がっているため特長的である。これは、上記した通りデフレクタ３０の上側に設けた横長で逆台形の上側翼部５０が消火水４４を真横により遠くに飛散させることによるものと推測される。
【００５４】
下記の表１〜表３は、放水圧力をそれぞれ０．１５ＭＰａ、０．４Ｍｐａ、０．７ＭＰａとして消火水を放水したときの散布領域（４．５×４．５ｍ）内における各領域の散水量を測定した結果を示す表である。
【００５５】
【表１】
2006191961.tif 000003
【００５６】
【表２】
2006191961.tif 000004
【００５７】
【表３】
2006191961.tif 000005
【００５８】
測定方法は、４．５×４．５ｍの散布領域内に、図７に示すように９４個の採水升（Ｒ７，Ｒ６・・・Ｒ１，Ｌ１・・・Ｌ６，Ｌ７）を７×１４のマトリックス状に配列し、スプリンクラーヘッド２３から消火水を一定時間放水した後、各採水升に溜まった採水量を測定したものである。
【００５９】
これらの表１〜表３からも明らかなように、本発明に係るスプリンクラーヘッド２３によれば、いずれの放水圧力０．１５ＭＰａ、０．４Ｍｐａ、０．７ＭＰａにおいても、各採水升に溜まる消火水の量および平均の採水量が特例の基準による省令に定められた規定値を十分に越えていた。よって、従来よりも広域散布型の小区画用側壁型スプリンクラーヘッドとしてホテルの居室、病室、共同住宅等の建物に設置して好適である。
【００６０】
また、本発明によるスプリンクラーヘッド２３によれば、消火水の散布領域を拡大することができるため、一室当たりのスプリンクラーヘッドの使用個数の削減と消火用配管２４の短縮を可能にし、設置工費を大幅に低減することができる。
【００６１】
図８は本発明の他の実施の形態を示すスプリンクラーヘッドの正面図、図９はデフレクターと補助デフレクターの側面図、図１０は消火水の散布領域を示す図である。
これらの図において、本実施の形態におけるスプリンクラーヘッド９０は、デフレクター１００の形状が前記スプリンクラーヘッド２３のデフレクター３０と若干異なる点が相違するだけで、その他の構造は全く同一である。したがって、前記デフレクター３０と本実施の形態のデフレクター１００の同じ点と相違する点についてのみ説明し、その他の同一構成部品、部分等については同一符号をもって示し、その説明を省略する。
【００６２】
前記デフレクター１００は、６つの翼部、すなわち上側翼部１０１と、左右一対の水平翼部１０２，１０３と、左右一対の傾斜翼部１０４，１０５および下側翼部１０６と、これらの翼部間に形成された６つの散水用スリット１１１〜１１６とを備えている。
【００６３】
前記上側翼部１０１は、図２、図３に示したデフレクター３０の上側翼部５０と同一形状の逆台形に形成されている。
【００６４】
前記水平翼部１０２，１０３は、先端にそれぞれ散水用溝１２０を有している点で図２、図３に示したデフレクター３０の水平翼部５１，５２と同一ではあるが、散水用溝１２０の奥壁１３０をそれぞれ半円形に湾曲させた点で相違している。
【００６５】
前記傾斜翼部１０４，１０５は、上辺が水平である点、および先端に散水用溝が形成されていない点で図２、図３に示したデフレクター３０の傾斜翼部５３，５４と異なっている。
【００６６】
前記下側翼部１０６は、図２、図３に示したデフレクター３０の下側翼部５５と同一である。また、傾斜翼部５３，５４と下側翼部５５は、図２、図３に示したデフレクタ３０の傾斜翼部５３，５４、下側翼部５５と同様にデフレクター１００の後方側に所要角度（β）傾斜している。
【００６７】
前記上側翼部１０１と各水平翼部１０２，１０３間の散水用スリット１１１，１１２は、図２、図３に示したデフレクター３０の散水用スリット６０，６１と同一形状である。水平翼部１０２，１０３と傾斜翼部１０４，１０５間の散水用スリット１１３，１１４は、全長にわって幅が一定で、奥壁がそれぞれ半円形に湾曲している点で、図２、図３に示したデフレクター３０の散水用スリット６２，６３と異なっている。傾斜翼部１０４，１０５と下側翼部１０６間の散水用スリット１１５，１１６は、三角形の溝ではあるが、その両溝壁の接合部を円弧で接続した点で、図２、図３に示したデフレクター３０の散水用スリット６４，６５と異なっている。
【００６８】
図１０において、領域Ｆ，Ｇ，Ｈはそれぞれ放水圧力を０．１５ＭＰａ、０．４ＭＰａ、０．７ＭＰａとしたときのスプリンクラーヘッド９０による消火水の散布領域である。このようなスプリンクラーヘッド９０においても、前記スプリンクラーヘッド２３と同様に、いずれの放水圧力においても、消火水の散布面積を２０．２５ｍ2 （４．５×４．５ｍ）以上とすることができた。また、測定の結果、各領域Ｆ，Ｇ，Ｈ内における各採水升に溜まる採水量および平均の採水量も省令に定められた規定値を十分に満足するものであった。
【００６９】
ただし、図７に示す消火水の散布領域Ｃ，Ｄ，Ｅと、図１０に示す消火水の散布領域Ｆ，Ｇ，Ｈとを比較すると、本実施の形態によるスプリンクラーヘッド９０においては、幅方向の散布領域ｙの拡大率がスプリンクラーヘッド２３に比べて若干劣っている。また、スプリンクラーヘッド２３においては、散布領域Ｃ，Ｄ，Ｅの幅方向の散布領域Ｙの変動幅が大きいのに対して、本実施の形態によるスプリンクラーヘッド９０においては、幅方向の散布領域ｙの変動幅が小さい。このような違いは、傾斜翼部１０４，１０５の先端に散水用溝を設けていないことと、散水用スリット１１３，１１４をストレートな溝で構成したことに起因しているものと思われる。また、副次的には散水用スリット１１３，１１４の奥壁を円弧状に形成した点、散水用スリット１１５，１１６の両溝壁の接合部を円弧で接続した点および散水用溝１２０の奥壁を円弧状に形成した点が、消火水の飛散に微妙に影響して散布領域ｙの変動幅を小さくしているものと思われる。
【００７０】
上記した実施の形態においては、デフレクター３０，１００の上側翼部５０，１０１をそれぞれ上辺と下辺が互いに平行で、かつ上辺が下辺より長い四辺形、つまり逆台形に形成した例を示したが、本発明において、「略台形」とは、厳密な意味での逆台形のものだけではなく、これに近似した形状、例えば左右の両辺が円弧状に湾曲した形状のものや、上辺が緩やかな凸状または凹状に湾曲している形状で、略同等の散水効果が得られるものを含むものである。
【産業上の利用可能性】
【００７１】
上記した実施の形態ではいずれも液体を封入したグラスバルブ４２を用いて感熱分解部２９を構成したスプリンクラーヘッド２３，９０について説明したが、本発明はこれに何ら特定されるものではなく、火災時の熱により溶解する低融点の金属部材によって感熱分解部を構成した側壁型のスプリンクラーヘッドにも適用することができる。
【図面の簡単な説明】
【００７２】
【図１】本発明に係る側壁型スプリンクラーヘッドの一実施の形態を示す壁面に取付けた状態の側断面図である。
【図２】同スプリンクラーヘッドの外観斜視図である。
【図３】同スプリンクラーヘッドの正面図である。
【図４】同スプリンクラーヘッドの平面図である。
【図５】図３のＡ−Ａ線断面図である。
【図６】同スプリンクラーヘッドの底面図である。
【図７】消火水の散布領域を示す図である。
【図８】本発明の他の実施の形態を示すスプリンクラーヘッドの正面図である。
【図９】デフレクターと補助デフレクターの側面図である。
【図１０】消火水の散布領域を示す図である。
【図１１】従来の側壁型スプリンクラーヘッドの正面図である。
【図１２】同スプリンクラーヘッドの側面図である。
【図１３】従来のスプリンクラーヘッドによる消火水の散布領域を示す図である。
【符号の説明】
【００７３】
２１…壁面、２３…壁面型スプリンクラーヘッド、２５…本体、２７…フレーム、３０…デフレクター、３１…補助デフレクター、５０…上側翼部、５１，５２…水平翼部、５３，５４…傾斜翼部、５５…下側翼部、６０〜６５…散水用スリット、６６，６７…散水用溝、９０…スプリンクラーヘッド、１００…デフレクター、１０１…上側翼部、１０２，１０３…水平翼部、１０４，１０５…傾斜翼部、１０６…下側翼部、１１１〜１１６…散水用スリット、１２０…散水用溝。
【図１】
2006191961.tif 000006
【図２】
2006191961.tif 000007
【図３】
2006191961.tif 000008
【図４】
2006191961.tif 000009
【図５】
2006191961.tif 000010
【図６】
2006191961.tif 000011
【図７】
2006191961.tif 000012
【図８】
2006191961.tif 000013
【図９】
2006191961.tif 000014
【図１０】
2006191961.tif 000015
【図１１】
2006191961.tif 000016
【図１２】
2006191961.tif 000017
【図１３】
2006191961.tif 000018